(57)【要約】  本発明はリソース共有方法とリソース共有装置を提供し、リソース共有方法は、リソース共有装置が第一通信ネットワークの任意の端末から送信した接続請求情報を受信した時、第二通信ネットワークの目標バックホールリンクによって第二通信ネットワークへ前記接続請求情報を送信するステップと、前記第二通信ネットワークは受信した前記接続請求情報を前記第一通信ネットワークに送信して、前記第一通信ネットワークが前記接続請求情報により任意の端末に対して認証を行うステップと、前記任意の端末が認証を通った場合は、前記第一通信ネットワークは前記任意の端末の締結業務サービス品質レベル情報を前記第二通信ネットワークに送信し、前記任意の端末が認証を通らない場合は、前記第一通信ネットワークは接続拒否情報を前記第二通信ネットワークに送信するステップと、前記第二通信ネットワークは受信した情報によって、任意の端末にサービスを提供し、または拒否するステップと、を備える。この技術特徴によって、複数の通信ネットワークのバックホールリソースを共有することができ、同時にリソース共有装置のサービス品質を保証することができる。
2017529730.tif 000002
【特許請求の範囲】
【請求項１】
リソース共有方法であって、
リソース共有装置が第一通信ネットワークの任意の端末から送信した接続請求情報を受信した時、第二通信ネットワークの目標バックホールリンクによって第二通信ネットワークに前記接続請求情報を送信し、
前記第二通信ネットワークは受信した前記接続請求情報を前記第一通信ネットワークに送信して、前記第一通信ネットワークが前記接続請求情報により任意の端末に対して認証を行い、
前記任意の端末が認証を通った場合は、前記第一通信ネットワークは前記任意の端末の締結業務サービス品質レベル情報を前記第二通信ネットワークに送信し、前記任意の端末が認証を通らない場合は、前記第一通信ネットワークは接続拒否情報を前記第二通信ネットワークに送信し、
前記第二通信ネットワークは前記締結業務サービス品質レベル情報により前記任意の端末へサービスを提供し、または前記接続拒否情報により前記任意の端末へサービス提供を拒否することを特徴とするリソース共有方法。
【請求項２】
前記リソース共有装置が前記接続請求情報を受信した場合、前記接続請求情報に対して分析を行って、前記接続請求情報によって任意の端末のホーム通信ネットワークと端末識別情報を取得し、且つ前記任意の端末のホーム通信ネットワーク情報、前記端末識別情報及び接続請求を前記第二通信ネットワークに送信することを特徴とする請求項１に記載のリソース共有方法。
【請求項３】
前記リソース共有装置は、予め設定されたＩＰセキュリティトンネルの暗号化方法により前記ホーム通信ネットワーク情報、前記端末識別情報及び前記接続請求に対して暗号化を行って、暗号化後のデータパケットが得られ、且つ前記暗号化後のデータパケットを前記第二通信ネットワークに送信し、
前記第二通信ネットワークは前記暗号化後のデータパケットを受信した場合、前記予め設定されたＩＰセキュリティトンネルの暗号化方法に対応する復号化方法によって、復号化を行って、前記ホーム通信ネットワーク情報、前記端末識別情報及び前記接続請求を取得することを特徴とする請求項２に記載のリソース共有方法。
【請求項４】
前記リソース共有装置は、前記第二通信ネットワークに対応する複数のバックホールリンク中から予め設定された選択ルールに従って前記目標バックホールリンクを選択し、前記予め設定された選択ルールは、前記第二通信ネットワークのキャリアが前記第一通信ネットワークのキャリアとかかるプロトコルを締結しているかどうかと、及びバックホールリンクは十分な待機伝送リソースを持っているかどうかと、を含むことを特徴とする請求項１に記載のリソース共有方法。
【請求項５】
前記第二通信ネットワークが前記任意の端末にサービスを提供する時、前記第二通信ネットワークは、前記任意の端末のホーム通信キャリア情報と端末識別情報によって、前記任意の端末の費用を計算することを特徴とする請求項１に記載のリソース共有方法。
【請求項６】
前記第二通信ネットワークは前記任意の端末に対応するホーム通信ネットワーク情報、端末識別情報及び前記締結業務サービス品質レベル情報等を保存して、再び前記任意の端末の前記接続請求情報を受信した時、直接保存された前記任意の端末に対応する前記ホーム通信ネットワーク情報、端末識別情報及び前記締結業務サービス品質レベル情報によって前記任意の端末へサービスを提供するかどうかを判断することを更に備えることを特徴とする請求項１から５のいずれか１項に記載リソース共有方法。
【請求項７】
前記第二通信ネットワークは予め設定された時間間隔によって保存された前記任意の端末に対応する前記ホーム通信ネットワーク情報、端末識別情報及び前記締結業務サービス品質レベル情報を更新することを更に備えることを特徴とする請求項６に記載のリソース共有方法。
【請求項８】
リソース共有装置と、第一通信ネットワーク及び第二通信ネットワークを備えるリソース共有システムであって、
前記リソース共有装置は、前記第一通信ネットワークからの任意の端末が送信した接続請求情報を受信した時、前記第二通信ネットワークの目標バックホールリンクによって前記接続請求情報を前記第二通信ネットワークに送信し、
前記第二通信ネットワークは、前記リソース共有装置と接続して、受信した前記接続請求情報を前記第一通信ネットワークに送信し、前記第一通信ネットワークは前記接続請求情報によって前記任意の端末に対して認証を行い、
前記第一通信ネットワークは、前記第二通信ネットワークと接続して、前記任意の端末が認証を通った場合には、前記任意の端末に対応する締結業務サービス品質レベル情報を前記第二通信ネットワークに送信し、前記任意の端末が認証を通らない場合には、前記第一通信ネットワークは接続拒否情報を前記第二通信ネットワークに送信し、
前記第二通信ネットワークは、また、前記締結業務サービス品質レベル情報によって任意の端末にサービスを提供し、または前記接続拒否情報によって前記任意の端末へのサービス提供拒否することを特徴とするリソース共有システム。
【請求項９】
前記リソース共有装置は、前記接続請求情報を受信した場合、前記接続請求情報に対して分析を行って、前記接続請求情報によって任意の端末のホーム通信ネットワークと端末識別情報を取得し、且つ前記任意の端末のホーム通信ネットワーク情報、前記端末識別情報及び接続請求を前記第二通信ネットワークに送信することを特徴とする請求項８に記載のリソース共有システム。
【請求項１０】
前記リソース共有装置は、予め設定されたＩＰセキュリティトンネルの暗号化方法により前記ホーム通信ネットワーク情報、前記端末識別情報及び前記接続請求に対して暗号化を行って、暗号化後のデータパケットが得られ、且つ前記暗号化後のデータパケットを前記第二通信ネットワークに送信し、
前記第二通信ネットワークは、前記暗号化後のデータパケットを受信した場合、前記設定されたＩＰセキュリティトンネルの暗号化方法に対応する復号化方法によって復号化を行って、前記ホーム通信ネットワーク情報、前記端末識別情報及び前記接続請求を取得することを特徴とする請求項９に記載のリソース共有システム。
【請求項１１】
前記リソース共有装置は差別化サービスプロトコル又はリソース予約プロトコルを採用して、前記暗号化後のデータパケットを前記第二通信ネットワークに送信することを特徴とする請求項１０に記載のリソース共有システム。
【請求項１２】
前記リソース共有装置は、前記第二通信ネットワークに対応する複数のバックホールリンクの内、前記第二通信ネットワークのキャリアと前記第一通信ネットワークのキャリアとの間にかかるプロトコルを締結しているかどうかと及びバックホールリンクは十分な待機伝送リソースを持っているかどうかを含む設定された選択ルールに従って前記目標バックホールリンクを選択することを特徴とする請求項８に記載のリソース共有システム。
【請求項１３】
前記第二通信ネットワークは、前記任意の端末にサービスを提供する時、前記任意の端末のホーム通信キャリア情報と端末識別情報によって、前記任意の端末の費用を計算することを特徴とする請求項８に記載のリソース共有システム。
【請求項１４】
前記第二通信ネットワークは、前記任意の端末に対応するホーム通信ネットワーク情報、端末識別情報及び前記締結業務サービス品質レベル情報等を保存して、再び前記任意の端末の前記接続請求情報を受信した時、直接保存された前記任意の端末に対応する前記ホーム通信ネットワーク情報、端末識別情報及び前記締結業務サービス品質レベル情報によって前記任意の端末へサービスを提供するかどうかを判断することを特徴とする請求項８から１３のいずれか１項に記載のリソース共有システム。
【請求項１５】
前記第二通信ネットワークは、予め設定された時間間隔によって保存された前記任意の端末に対応する前記ホーム通信ネットワーク情報、端末識別情報及び前記締結業務サービス品質レベル情報を更新することを特徴とする請求項１４に記載のリソース共有システム。
【請求項１６】
前記リソース共有装置は有線接続方法或いは無線接続方法によって前記第二通信ネットワークと接続することを特徴とする請求項８から１３のいずれか１項に記載のリソース共有システム。
【発明の詳細な説明】
【技術分野】
【０００１】
本発明は、端末技術分野に関し、具体的にリソース共有方法とリソース共有システムに関するものである。
【背景技術】
【０００２】
スモールセル（Ｓｍａｌｌ  ｃｅｌｌ）技術とは、ワイドカバレッジのマクロ（Ｍａｃｒｏ）基地局ネットワークに基づいて、業務ニーズと実際の地理環境によって、大量の低電力スモールセルノードを配置して、ネットワークのカバー範囲と容量を向上し、モバイルインタネット時代のユーザーのニーズを満足させるものである。未来での密集したネットワーク配置において、一つのマクロ基地局セルには、恐らく数百のスモールセルを持つことになる。
【０００３】
現在のスモールセルでは、例えば、家庭基地局（フェムト、ｆｅｍｔｏ）はＡＤＳＬ／イーサネット（登録商標）等の有線バックホールリンクを使用して、フェムトの情報をフェムトゲートウェイ（ｆｅｍｔｏ  ｇａｔｅｗａｙ）へ伝送する。ＡＤＳＬ／イーサネット等の有線バックホールリンクは、フェムトホームキャリアのバックホールリンクでもよいし、第三のキャリアネットワークのバックホールリンクでもよい。即ち、フェムトは本キャリアネットワークのバックホールリンクを使用して、本フェムトの情報を本キャリアネットワークのフェムトゲートウェイへ伝送してもよいし、第三のキャリアネットワークのバックホールリンクを使用して、第三のキャリアのパブリックＩＰネットワーク、及び第三のキャリアネットワークのバックホールリンクと本キャリアネットワークのインターフェイスによって、フェムト情報を本キャリアネットワークのフェムトゲートウェイに伝送してもよい。
【０００４】
ＡＤＳＬ／イーサネット等の有線バックホールリンクを使用するスモールセルにおいて、採用した有線バックホールリンクが本キャリアのバックホールリンクである場合、当該スモールセルのよりよい業務ＱｏＳ（サービス品質）を保証することができる。これは、スモールセルゲートウェイが本キャリアネットワークにあるため、スモールセルの情報はスモールセルゲートウェイへ伝送する時、長距離を伝送せず、異なるキャリアとの間を通過する必要もない。スモールセルのバックホールリンクが第三キャリアのバックホールリンクである場合は、スモールセルの情報がスモールセルゲートウェイへ伝送する時、まず、より長距離の伝送によって第三キャリアネットワークと本キャリアネットワークとの間のインターフェイスへ到着し、次に、ネットワークの間のインターフェイスによって本キャリアネットワークへ到着し、最後に本キャリアネットワークの伝送によってスモールセルゲートウェイへ到着するため、当該スモールセルのよりよい業務ＱｏＳ（サービス品質）を保証することができない。一般的の状況下では、異なるキャリアのネットワークとの間のインターフェイスは伝送のボトルネックであり、情報伝送のルーターもより長いため、スモールセルの業務ＱｏＳを保証することが困難である。
【０００５】
歴史的な理由のせいで、あるキャリアの有線バックホールリンクはより少ないが、ユーザー量は多い。例えば、中国の三つモバイルキャリアの内、中国移動が所有しているバックボーンの量は中国電信／聯通の１／１０であり、現在中国移動のユーザーはそれぞれ中国電信/聯通の４倍/２．５倍である。未来での超密集ネットワーク配置において、一つのマクロ基地局セルは数百のスモールセルを持ち、各ユーザーの業務量も大量に増加することが予測される。中国移動のバックボーンにおいて、大規模のネットワークバックホール量をサポートすることが困難である。バックホールリンクネットワークの建設には、巨大な資金を必要とするため、第三のキャリアのバックホールネットワークを共有することは非常に実行可能な一つの解決方案である。
【０００６】
そのため、複数の異なる通信ネットワークのバックホールリソースを共有して、リソース利用率を向上させつつ、リソース共有装置のサービス品質を保証することができる新たな技術解決方案が必要である。
【発明の概要】
【０００７】
本発明では、以上の技術問題に基づき、スモールセル業務サービス品質を保証する第三のキャリアバックホールリソースを共有するバックホール方法を確立し、且つ当該バックホール方法がリソース共有装置のサービス品質を保証することができる新たな技術解決方案を提案する。
【０００８】
以上の問題点に鑑みて、本発明が提案するリソース共有方法は、リソース共有装置が第一通信ネットワークの任意の端末から送信した接続請求情報を受信した時、第二通信ネットワークの目標バックホールリンクによって第二通信ネットワークに前記接続請求情報を送信するステップと、前記第二通信ネットワークは受信した前記接続請求情報を前記第一通信ネットワークに送信して、前記第一通信ネットワークが前記接続請求情報により任意の端末に対して認証を行うステップと、前記任意の端末が認証を通った場合は、前記第一通信ネットワークは前記任意の端末の締結業務サービス品質レベル情報を前記第二通信ネットワークに送信し、前記任意の端末が認証を通らない場合は、前記第一通信ネットワークは接続拒否情報を前記第二通信ネットワークに送信するステップと、前記第二通信ネットワークは前記締結業務サービス品質レベル情報により前記任意の端末へサービスを提供し、または前記接続拒否情報により前記任意の端末へのサービス提供を拒否するステップを備える。
【０００９】
この技術特徴において、リソース共有装置を設置することにより、リソース共有装置は第一通信ネットワーク（即ち、第一キャリア）からの端末が送信した接続請求を受信した時、接続請求を第二通信ネットワーク（即ち、第二キャリア）に送信することができて、第二通信ネットワークが第一通信ネットワークの認証情報によって、前記接続請求を処理し、即ち、認証を通った場合は、前記端末の接続を許可し、認証を通らない場合は、端末の接続を拒否する。このように、リソース共有装置のサービス品質を保証し、リソース共有装置により複数の通信ネットワークのバックホールリソースを共有することができ、巨資を消費してバックホールネットワークを建設する欠点を克服でき、ネットワーク間の負担を分散させて、リソース利用率を向上させることができる。
【００１０】
この技術特徴において、前記リソース共有装置が前記接続請求情報を受信した場合、前記接続請求情報に対して分析を行って、前記接続請求情報によって任意の端末のホーム通信ネットワークと端末識別情報を取得し、且つ前記任意の端末のホーム通信ネットワーク情報、前記端末識別情報及び接続請求を前記第二通信ネットワークに送信するステップを更に備えることが好ましい。
【００１１】
この技術特徴において、前記リソース共有装置は接続請求情報を受信した場合、接続請求情報分析によって端末のホームキャリア情報と端末識別情報を取得し、且つ端末のホーム通信ネットワーク情報、端末識別情報及び接続請求を第二通信ネットワークに送信する。
【００１２】
この技術特徴において、前記リソース共有装置は、また、予め設定されたＩＰセキュリティトンネルの暗号化方法により前記ホーム通信ネットワーク情報、前記端末識別情報及び前記接続請求に対して暗号化を行って、暗号化後のデータパケットが得られ、且つ前記暗号化後のデータパケットを前記第二通信ネットワークに送信するステップと、前記第二通信ネットワークは前記暗号化後のデータパケットを受信した場合、前記予め設定されたＩＰセキュリティトンネルの暗号化方法に対応する復号化方法によって復号化を行って、前記ホーム通信ネットワーク情報、前記端末識別情報及び前記接続請求を取得するステップを更に備えることが好ましい。
【００１３】
この技術特徴において、接続請求情報を伝送する過程中の安全を保証するために、端末のホームキャリア情報、端末識別情報及び接続請求行為情報をＩＰセキュリティトンネルプロトコルを利用してＩＰデータパケットにカプセル化し、ＩＰデータパケットの外側のＩＰアドレスは第二通信ネットワークのスモールセル（ｓｍａｌｌ  ｃｅｌｌ）ゲートウェイのＩＰアドレスとし、ＩＰデータパケットの内側アドレスは目標端末アドレスとする。リソース共有装置が利用するセキュリティトンネルプロトコルが使用している暗号化方法はリソース共有装置と第二通信ネットワークが約束したものである。ＩＰデータパケットがリソース共有装置からスモールセルゲートウェイに到着した後、スモールセルゲートウェイに対応するＩＰセキュリティトンネルプロトコルを利用してＩＰデータパケットに対して解凍を行い、リソース共有装置がスモールセルゲートウェイに送信した情報を取得する。
【００１４】
この技術特徴において、前記リソース共有装置は差別化サービスプロトコル又はリソース予約プロトコルを採用して前記暗号化後のデータパケットを前記第二通信ネットワークに送信することが好ましい。
【００１５】
この技術特徴において、リソース共有装置のスモールセル業務は一般のｗｉｆｉ／ＡＤＳＬ／イーサネット等のデータとＩＰネットワーク伝送リソースを競争するので、スモールセル業務のサービス品質を保証するために、リソース共有装置はスモールセル業務のＩＰセキュリティトンネルプロトコルパケットを伝送する場合は、Ｄｉｆｆｓｅｒｖの差別化サービスプロトコルを採用し、ルーターネットワークがＲＳＶＰプロトコルをサポートする場合は、高性能のＲＳＶＰリソース予約プロトコルを採用する。
【００１６】
この技術特徴において、前記リソース共有装置は前記第二通信ネットワークに対応する複数のバックホールリンク中から予め設定された選択ルールに従って前記目標バックホールリンクを選択するステップを更に備えることが好ましい。前記予め設定された選択ルールは、前記第二通信ネットワークのキャリアと前記第一通信ネットワークのキャリアとの間にかかるプロトコルを締結しているかどうかと、バックホールリンクは十分な待機伝送リソースを持っているかどうかを含む。
【００１７】
この技術特徴において、リソース共有装置は様々なバックホールリンクの選択がある。例えば、リソース共有装置は、第一通信ネットワークと第二通信ネットワークのみではなく、同時にその他通信ネットワークのｗｉｆｉも接続することができるし、ＡＤＳＬによって第二通信ネットワークを接続することもできる。リソース共有装置は複数のバックホールリンクから指定バックホール方法として一つを選択する必要がある。バックホールリンク選択ルールは、前記バックホールネットワークのキャリアが当該ネットワークのキャリアとかかるプロトコルを締結しているかどうかと、及び当該バックホールリンクは十分な待機伝送リソースを持っているかどうかと、を含む。
【００１８】
この技術特徴において、前記第二通信ネットワークが前記任意の端末にサービスを提供する時、前記第二通信ネットワークは前記任意の端末の前記ホーム通信キャリア情報と前記端末識別情報によって、前記任意の端末の費用を計算するステップを更に備えることが好ましい。
【００１９】
この技術特徴において、第二通信ネットワークは端末にサービスを提供する時、キャリアとの間のビジネス決算が便利になるように、端末のホーム通信キャリア情報と端末識別情報によって費用を計算する。
【００２０】
この技術特徴において、前記第二通信ネットワークは前記任意の端末に対応する前記ホーム通信ネットワーク情報、端末識別情報及び前記締結業務サービス品質レベル情報等を保存して、再び前記任意の端末の前記接続請求情報を受信した時、直接保存された前記任意の端末に対応する前記ホーム通信ネットワーク情報、端末識別情報及び前記締結業務サービス品質レベル情報によって前記任意の端末にサービスを提供するかどうかを判断することを更に備えることが好ましい。
【００２１】
この技術特徴において、異なるキャリアがリソース共有装置によって接続する度に、第一通信ネットワークと第二通信ネットワークとの間の情報交換を回避するように、第二通信ネットワークには、リソース共有装置によって第二通信ネットワークへよく接続するその他通信ネットワークの端末のホームキャリア情報及び締結業務サービス品質レベル情報を保存される。
【００２２】
この技術特徴において、前記第二通信ネットワークは予め設定された時間間隔によって保存された前記任意の端末に対応する前記ホーム通信ネットワーク情報、端末識別情報及び前記締結業務サービス品質レベル情報を更新するステップを更に備えることが好ましい。
【００２３】
この技術特徴において、第二通信ネットワークは、保存された端末のホーム通信ネットワーク情報、及び締結業務サービス品質レベル情報に対して定期的な更新を行うことにより、情報が正しいことを保証する。
【００２４】
一方、本発明の実施形態に係るリソース共有システムは、リソース共有装置と、第一通信ネットワーク及び第二通信ネットワーク備えており、前記リソース共有装置は、前記第一通信ネットワークからの任意の端末が送信した接続請求情報を受信した時、前記接続請求情報は前記第二通信ネットワークの目標バックホールリンクによって前記第二通信ネットワークに送信されるし、前記第二通信ネットワークは、受信した前記接続請求情報を前記第一通信ネットワークに送信して、前記第一通信ネットワークは前記接続請求情報によって前記任意の端末に対して認証を行う。前記任意の端末が認証を通った場合、前記第一通信ネットワークは、前記任意の端末に対応する締結業務サービス品質レベル情報を前記第二通信ネットワークに送信し、前記任意の端末が認証を通らない場合、前記第一通信ネットワークは接続拒否情報を前記第二通信ネットワークに送信し、前記第二通信ネットワークは、また、前記締結業務サービス品質レベル情報によって任意の端末にサービスを提供したり、または前記接続拒否情報によって前記任意の端末へのサービス提供を拒否することにも用いられる。
【００２５】
この技術特徴において、リソース共有装置を設置することによって、リソース共有装置が第一通信ネットワーク（即ち、第一キャリア）の端末が送信した接続請求を受信した時、接続請求を第二通信ネットワーク（即ち、第二キャリア）に送信して、第二通信ネットワークが第一通信ネットワークの認証情報によって接続請求を処理することができ、即ち、認証を通った場合には、当該端末の接続を許可し、認証を通らない場合には、当該端末の接続を拒否する。このように、リソース共有装置によって複数の異なる通信ネットワークのバックホールリソースを共有することが実現できて、巨資を消費してバックホールネットワークを建設する欠点を克服でき、ネットワーク間の負担を分散させて、リソース利用率を向上させつつ、第二通信ネットワークが端末に対応して締結業務サービス品質レベル情報によりサービスを提供し、リソース共有装置のサービス品質を保証する。
【００２６】
この技術特徴において、前記リソース共有装置は、前記接続請求情報受信した場合、前記接続請求情報に対して分析を行って、前記接続請求情報によって任意の端末のホーム通信ネットワークと端末識別情報を取得して、前記任意の端末のホーム通信ネットワーク情報、前記端末識別情報及び接続請求を前記第二通信ネットワークに送信することにも用いられることが好ましい。
【００２７】
この技術特徴において、前記リソース共有装置が接続請求情報を受信した場合、接続請求情報分析によって端末のホームキャリア情報と端末識別情報取得し、且つ端末のホーム通信ネットワーク情報、端末識別情報及び接続請求を第二通信ネットワークに送信する。
【００２８】
この技術特徴において、前記リソース共有装置は、更に予め設定されたＩＰセキュリティトンネルの暗号化方法により前記ホーム通信ネットワーク情報、前記端末識別情報及び前記接続請求に対して暗号化を行って、暗号化後のデータパケットを得ることができ、また、前記暗号化後のデータパケットを前記第二通信ネットワークに送信し、前記第二通信ネットワークは、また、前記暗号化後のデータパケットを受信した場合、前記予め設定されたＩＰセキュリティトンネルの暗号化方法に対応する復号化方法によって復号化を行って、前記ホーム通信ネットワーク情報、前記端末識別情報及び前記接続請求を取得することにも用いられることが好ましい。
【００２９】
この技術特徴において、接続請求情報を伝送する過程中の安全を保証するために、端末のホームキャリア情報、端末識別情報及び接続請求行為情報をＩＰセキュリティトンネルプロトコルを利用してＩＰデータパケットにカプセル化して、ＩＰデータパケットの外側のＩＰアドレスは第二通信ネットワークのスモールセル（ｓｍａｌｌ  ｃｅｌｌ）ゲートウェイのＩＰアドレスとし、ＩＰデータパケットの内側アドレスは目標端末アドレスとする。リソース共有装置が使用するセキュリティトンネルプロトコルが使用している暗号化方法は、リソース共有装置と第二通信ネットワークが約束したものある。ＩＰデータパケットがリソース共有装置からスモールセルゲートウェイに到着した後、スモールセルゲートウェイは、対応するＩＰセキュリティトンネルプロトコルを利用してＩＰデータパケットに対して解凍を行って、リソース共有装置がスモールセルゲートウェイに送信した情報を取得する。
【００３０】
この技術特徴において、前記リソース共有装置は差別化サービスプロトコル又はリソース予約プロトコルを採用して前記暗号化後のデータパケットを前記第二通信ネットワークに送信することが好ましい。
【００３１】
この技術特徴において、リソース共有装置のスモールセル業務は一般のｗｉｆｉ／ＡＤＳＬ／イーサネット等のデータとＩＰネットワーク伝送リソースを競争するため、スモールセル業務のサービス品質を保証するために、リソース共有装置はスモールセル業務のＩＰセキュリティトンネルプロトコルパケットを伝送する場合はＤｉｆｆｓｅｒｖの差別化サービスプロトコルを採用し、ルーターネットワークがＲＳＶＰプロトコルをサポートする場合は、高性能のＲＳＶＰリソース予約プロトコルを採用する。
【００３２】
この技術特徴において、前記リソース共有装置は、また、前記第二通信ネットワークに対応する複数のバックホールリンクの中から、予め設定された選択ルールに従って前記目標バックホールリンクを選択することが好ましい。前記予め設定された選択ルールは、前記第二通信ネットワークのキャリアと前記第一通信ネットワークのキャリアとの間にかかるプロトコルを締結しているかどうかと、バックホールリンクは十分な待機伝送リソースを持っているかどうかと、を含む。
【００３３】
この技術特徴において、リソース共有装置は様々なバックホールリンクの選択がある。例えば、リソース共有装置は、第一通信ネットワークと第二通信ネットワークのみではなく、同時にその他通信ネットワークのｗｉｆｉも接続するでき、ＡＤＳＬによって第二通信ネットワークを接続することができる。リソース共有装置は、複数のバックホールリンクの中から、指定バックホール方法として一つを選択する必要がある。バックホールリンク選択ルールは、前記バックホールネットワークのキャリアが当該ネットワークのキャリアとかかるプロトコルを締結しているかどうかと、当該バックホールリンクは十分な待機伝送リソースを持っているかどうかと、を含む。
【００３４】
この技術特徴において、また、前記第二通信ネットワークは、前記任意の端末にサービスを提供する時、前記任意の端末の前記ホーム通信キャリア情報と前記端末識別情報によって、前記任意の端末の費用を計算することにも用いられることが好ましい。
【００３５】
この技術特徴において、第二通信ネットワークが端末にサービスを提供する時、キャリアとの間のビジネス決算が便利になるように、端末のホーム通信キャリア情報と端末識別情報によって費用を計算する。
【００３６】
この技術特徴において、前記第二通信ネットワークは、前記任意の端末に対応する前記ホーム通信ネットワーク情報、端末識別情報及び前記締結業務サービス品質レベル情報等を保存して、再び前記任意の端末の前記接続請求情報を受信した時、直接保存された前記任意の端末に対応する前記ホーム通信ネットワーク情報、端末識別情報及び前記締結業務サービス品質レベル情報によって前記任意の端末へサービスを提供するかどうかを判断することに用いられることが好ましい。
【００３７】
この技術特徴において、異なるキャリアがリソース共有装置によって接続する度に、第一通信ネットワークと第二通信ネットワークとの間の情報交換を回避するように、第二通信ネットワークは、リソース共有装置によって第二通信ネットワークへよく接続するその他通信ネットワークの端末のホームキャリア情報及び締結業務サービス品質レベル情報を保存する。
【００３８】
この技術特徴において、前記第二通信ネットワークは、予め設定された時間間隔によって保存された前記任意の端末に対応する前記ホーム通信ネットワーク情報、端末識別情報及び前記締結業務サービス品質レベル情報を更新することに用いられることが好ましい。
【００３９】
この技術特徴において、第二通信ネットワークは、定期的に保存された端末のホーム通信ネットワーク情報、及び締結業務サービス品質レベル情報に対して更新を行うことにより、情報が正しいことを保証する。
【００４０】
この技術特徴において、前記リソース共有装置は有線接続方法或いは無線接続方法によって前記第二通信ネットワークと接続することが好ましい。
【００４１】
本技術特徴によって、有線接続方法或いはWIFI接続方法によってリソース共有装置と通信ネットワークを接続して、複数の通信ネットワークのバックホールリソースを共有することができて、巨資を消費してバックホールネットワークを建設する欠点を克服でき、ネットワーク間の負担を分散させて、リソース利用率を向上させつつ、リソース共有装置のサービス品質を保証する。
【図面の簡単な説明】
【００４２】
【図１】図１は本発明の実施形態に係るリソース共有方法を示すプローチャート図である。
【図２】図２は本発明の実施形態に係るリソース共有システムを示すブロック図である。
【図３】図３は本発明の一つの実施形態に係るリソース共有システムを示す構造図である。
【図４】図４は本発明の一つの実施形態に係るリソース共有方法を示す具体的プローチャート図である。
【発明を実施するための形態】
【００４３】
本発明の上述目的、特徴とメリットについてもっと詳しく理解するため、以下、図面と具体的な実施形態に基づいて、本発明について詳細に説明する。矛盾しなければ、本願の実施形態及び実施形態の特徴はお互い結合することができる。
【００４４】
以下の説明において、本発明を十分理解するため具体的な詳細まで述べられているが、本発明はここで記載された実施形態以外の方法を採用して実施することもできるので、本発明の範囲は以下開示された実施形態に限定されない。
【００４５】
図１は本発明の実施形態に係るリソース共有方法を示すプローチャート図である。
【００４６】
図１に示したように、本発明の実施形態に係るリソース共有方法は、ステップ１０２、ステップ１０４、ステップ１０６、ステップ１０８を備える。ステップ１０２において、リソース共有装置が第一通信ネットワークの任意の端末が送信した接続請求情報を受信した時、第二通信ネットワークの目標バックホールリンクによって第二通信ネットワークに前記接続請求情報を送信する。ステップ１０４において、前記第二通信ネットワークは受信した前記接続請求情報を前記第一通信ネットワークに送信して、前記第一通信ネットワークが前記接続請求情報によって前記任意の端末に対して認証を行う。ステップ１０６において、前記任意の端末が認証を通った場合は、前記第一通信ネットワークは前記任意の端末に対応する締結業務サービス品質レベル情報を前記第二通信ネットワークに送信し、前記任意の端末が認証を通らない場合は、前記第一通信ネットワークは接続拒否情報を前記第二通信ネットワークに送信する。ステップ１０８において、前記第二通信ネットワークは前記締結業務サービス品質レベル情報により前記任意の端末へサービスを提供し、または前記接続拒否情報により前記任意の端末へのサービス提供を拒否する。
【００４７】
この技術特徴において、リソース共有装置を設置することにより、リソース共有装置は第一通信ネットワーク（即ち、第一キャリア）からの端末が送信した接続請求を受信した時、接続請求を第二通信ネットワーク（即ち、第二キャリア）に送信することができて、第二通信ネットワークが第一通信ネットワークの認証情報によって、前記接続請求を処理し、即ち、認証を通った場合は、前記端末の接続を許可し、認証を通らない場合は、端末の接続を拒否する。このように、リソース共有装置により複数の異なる通信ネットワークのバックホールリソースを共有することができて、巨資を消費してバックホールネットワークを建設する欠点を克服でき、ネットワーク間の負担を分散させて、リソース利用率を向上させつつ、第二通信ネットワークが端末に対応する締結業務サービス品質レベル情報によりサービスを提供し、リソース共有装置のサービス品質を保証する。
【００４８】
この技術特徴において、前記リソース共有装置が前記接続請求情報を受信した場合、前記接続請求情報に対して分析を行って、前記接続請求情報によって任意の端末のホーム通信ネットワークと端末識別情報を取得して、且つ前記任意の端末のホーム通信ネットワーク情報、前記端末識別情報及び接続請求を前記第二通信ネットワークに送信するステップを更に備えることが好ましい。
【００４９】
この技術特徴において、前記リソース共有装置が接続請求情報を受信した場合、接続請求情報の分析によって、端末のホームキャリア情報と端末識別情報取得し、且つ端末のホーム通信ネットワーク情報、端末識別情報及び接続請求を第二通信ネットワークに送信する。
【００５０】
この技術特徴において、前記リソース共有装置は、予め設定されたＩＰセキュリティトンネルの暗号化方法によって、前記ホーム通信ネットワーク情報、前記端末識別情報及び前記接続請求に対して暗号化を行って、暗号化後のデータパケットを得ることができ、且つ前記暗号化後のデータパケットを前記第二通信ネットワークに送信するステップと、前記第二通信ネットワークが前記暗号化後のデータパケットを受信した場合、前記予め設定されたＩＰセキュリティトンネルの暗号化方法に対応する復号化方法によって復号化を行って、前記ホーム通信ネットワーク情報、前記端末識別情報及び前記接続請求を取得するステップを更に備えることが好ましい。
【００５１】
この技術特徴において、接続請求情報を伝送する過程中の安全を保証するために、端末のホームキャリア情報、端末識別情報及び接続請求行為情報をＩＰセキュリティトンネルプロトコルを利用してＩＰデータパケットにカプセル化して、ＩＰデータパケットの外側のＩＰアドレスは第二通信ネットワークのスモールセル（ｓｍａｌｌ  ｃｅｌｌ）ゲートウェイのＩＰアドレスとし、ＩＰデータパケットの内側アドレスは目標端末アドレスとする。リソース共有装置が利用するセキュリティトンネルプロトコルが使用している暗号化方法は、リソース共有装置と第二通信ネットワークが約束した暗号化方法である。ＩＰデータパケットがリソース共有装置からスモールセルゲートウェイに到着した後、スモールセルゲートウェイに対応するＩＰセキュリティトンネルプロトコルを利用してＩＰデータパケットに対して解凍を行い、リソース共有装置がスモールセルゲートウェイに送信した情報を取得する。
【００５２】
この技術特徴において、前記リソース共有装置は差別化サービスプロトコル又はリソース予約プロトコルを採用して前記暗号化後のデータパケットを前記第二通信ネットワークに送信することが好ましい。
【００５３】
この技術特徴において、リソース共有装置のスモールセル業務は一般のｗｉｆｉ／ＡＤＳＬ／イーサネット等のデータとＩＰネットワーク伝送リソースを競争するので、スモールセル業務のサービス品質を保証するために、リソース共有装置はスモールセル業務のＩＰセキュリティトンネルプロトコルパケットを伝送する場合は、Ｄｉｆｆｓｅｒｖの差別化サービスプロトコルを採用し、ルーターネットワークがＲＳＶＰプロトコルをサポートする場合は、高性能のＲＳＶＰリソース予約プロトコルを採用する。
【００５４】
この技術特徴において、前記リソース共有装置は、前記第二通信ネットワークに対応する複数のバックホールリンクの中から、予め設定された選択ルールに従って前記目標バックホールリンクを選択し、この際、前記設定された選択ルールは、前記第二通信ネットワークのキャリアが前記第一通信ネットワークのキャリアとかかるプロトコルを締結しているかどうか、及びバックホールリンクは十分な待機伝送リソースを持っているかどうかを含むステップ更に備えることが好ましい。
【００５５】
この技術特徴において、リソース共有装置は様々なバックホールリンクの選択がある。例えば、リソース共有装置は、第一通信ネットワークと第二通信ネットワークのみではなく、同時にその他通信ネットワークのｗｉｆｉも接続することができ、ＡＤＳＬによって第二通信ネットワークを接続することもできる。リソース共有装置は、複数のバックホールリンクから指定バックホール方法として一つを選択する必要がある。バックホールリンク選択ルールは、前記バックホールネットワークのキャリアが当該ネットワークのキャリアとかかるプロトコルを締結しているかどうかと、当該バックホールリンクが十分な待機伝送リソースを持っているかどうかと、を含む。
【００５６】
この技術特徴において、前記第二通信ネットワークが前記任意の端末にサービスを提供する時、前記第二通信ネットワークは前記任意の端末の前記ホーム通信キャリア情報と前記端末識別情報によって、前記任意の端末の費用を計算するステップを更に備えることが好ましい。
【００５７】
この技術特徴において、第二通信ネットワークが端末にサービスを提供する時、キャリアとの間のビジネス決算が便利になるように、端末のホーム通信キャリア情報と端末識別情報によって費用を計算する。
【００５８】
この技術特徴において、前記第二通信ネットワークは前記任意の端末に対応する前記ホーム通信ネットワーク情報、端末識別情報及び前記締結業務サービス品質レベル情報等を保存して、再び前記任意の端末の前記接続請求情報を受信した時、直接に保存された前記任意の端末に対応する前記ホーム通信ネットワーク情報、端末識別情報及び前記締結業務サービス品質レベル情報によって、前記任意の端末にサービスを提供するかどうかを判断するステップを更に備えることが好ましい。
【００５９】
この技術特徴において、異なるキャリアがリソース共有装置によって接続する度に、第一通信ネットワークと第二通信ネットワークとの間の情報交換を回避するように、第二通信ネットワークには、リソース共有装置によって、第二通信ネットワークとよく接続するその他通信ネットワークの端末のホームキャリア情報及び締結業務サービス品質レベル情報が保存される。
【００６０】
この技術特徴において、前記第二通信ネットワークは、予め設定された時間間隔によって、保存された前記任意の端末に対応する前記ホーム通信ネットワーク情報、端末識別情報及び前記締結業務サービス品質レベル情報を更新するステップを更に備えることが好ましい。
【００６１】
この技術特徴において、第二通信ネットワークは、保存された端末のホーム通信ネットワーク情報、及び締結業務サービス品質レベル情報に対して定期的な更新を行うことにより、情報の正確性を保証する。
【００６２】
図２は、本発明の実施形態に係るリソース共有システムを示すブロック図である。
【００６３】
図２に示したように、本発明の実施形態に係るリソース共有システム２００は、リソース共有装置２０２と、第一通信ネットワーク２０４及び第二通信ネットワーク２０６備えており、前記リソース共有装置２０２は、前記第一通信ネットワーク２０４からの任意の端末が送信した接続請求情報を受信した時、前記接続請求情報を前記第二通信ネットワークの目標バックホールリンクによって前記第二通信ネットワーク２０６に送信する。前記第二通信ネットワーク２０６は、受信した前記接続請求情報を前記第一通信ネットワーク２０４に送信して、前記第一通信ネットワーク２０４が前記接続請求情報によって前記任意の端末に対して認証を行う。前記任意の端末が認証を通った場合、前記第一通信ネットワーク２０４は、前記任意の端末に対応する締結業務サービス品質レベル情報を前記第二通信ネットワーク２０６に送信し、前記任意の端末が認証を通らない場合、前記第一通信ネットワーク２０４は、接続拒否情報を前記第二通信ネットワーク２０６に送信する。前記第二通信ネットワーク２０６は、前記締結業務サービス品質レベル情報によって任意の端末にサービスを提供し、または前記接続拒否情報によって前記任意の端末へのサービス提供を拒否することにも用いられる。
【００６４】
この技術特徴において、リソース共有装置を設置することによって、リソース共有装置が第一通信ネットワーク（即ち、第一キャリア）の端末から送信した接続請求を受信した時、接続請求を第二通信ネットワーク（即ち、第二キャリア）に送信して、第二通信ネットワークが第一通信ネットワークの認証情報によって接続請求を処理することができ、即ち、認証を通った場合には、当該端末の接続を許可し、認証を通らない場合には、当該端末の接続を拒否する。このように、リソース共有装置によって複数の異なる通信ネットワークのバックホールリソースを共有することが実現できて、巨資を消費してバックホールネットワークを建設する欠点を克服でき、ネットワーク間の負担を分散させて、リソース利用率を向上させつつ、第二通信ネットワークが端末に対応して締結業務サービス品質レベル情報によりサービスを提供し、リソース共有装置のサービス品質を保証する。
【００６５】
この技術特徴において、前記リソース共有装置２０２は、前記接続請求情報を受信した場合、前記接続請求情報に対して分析を行って、前記接続請求情報によって任意の端末のホーム通信ネットワーク情報と端末識別情報を取得して、前記任意の端末のホーム通信ネットワーク情報、前記端末識別情報及び接続請求を前記第二通信ネットワークに送信することに用いられることが好ましい。
【００６６】
この技術特徴において、前記リソース共有装置が接続請求情報を受信した場合、接続請求情報分析によって端末のホームキャリア情報と端末識別情報取得し、且つ端末のホーム通信ネットワーク情報、端末識別情報及び接続請求を第二通信ネットワークに送信する。
【００６７】
この技術特徴において、前記リソース共有装置２０２は、予め設定されたＩＰセキュリティトンネルの暗号化方法により前記ホーム通信ネットワーク情報、前記端末識別情報及び前記接続請求に対して暗号化を行って、暗号化後のデータパケットが得られ、且つ前記暗号化後のデータパケットを前記第二通信ネットワークに送信することにも用いられる。前記第二通信ネットワーク２０６は、前記暗号化後のデータパケットを受信した場合、前記予め設定されたＩＰセキュリティトンネルの暗号化方法に対応する復号化方法によって復号化を行って、前記ホーム通信ネットワーク情報、前記端末識別情報及び前記接続請求を取得することにも用いられることが好ましい。
【００６８】
この技術特徴において、接続請求情報を伝送する過程中の安全を保証するために、端末のホームキャリア情報、端末識別情報及び接続請求行為情報をＩＰセキュリティトンネルプロトコルを利用してＩＰデータパケットにカプセル化し、ＩＰデータパケットの外側のＩＰアドレスは、第二通信ネットワークのスモールセル（ｓｍａｌｌ  ｃｅｌｌ）ゲートウェイのＩＰアドレスとし、ＩＰデータパケットの内側アドレスは、目標端末アドレスとする。リソース共有装置が使用するセキュリティトンネルプロトコルが使用している暗号化方法は、リソース共有装置と第二通信ネットワークが約束したものである。ＩＰデータパケットがリソース共有装置からスモールセルゲートウェイに到着した後、スモールセルゲートウェイは、対応するＩＰセキュリティトンネルプロトコルを利用してＩＰデータパケットに対して解凍を行い、リソース共有装置がスモールセルゲートウェイに送信した情報を取得する。
【００６９】
この技術特徴において、前記リソース共有装置は、差別化サービスプロトコル又はリソース予約プロトコルを採用して、前記暗号化後のデータパケットを前記第二通信ネットワークに送信することが好ましい。
【００７０】
この技術特徴において、リソース共有装置のスモールセル業務が一般のｗｉｆｉ／ＡＤＳＬ／イーサネット等のデータとＩＰネットワーク伝送リソースを競争するため、スモールセル業務のサービス品質を保証するために、リソース共有装置がスモールセル業務のＩＰセキュリティトンネルプロトコルパケットを伝送する場合は、Ｄｉｆｆｓｅｒｖの差別化サービスプロトコルを採用し、ルーターネットワークがＲＳＶＰプロトコルをサポートする場合は、高性能のＲＳＶＰリソース予約プロトコルを採用する。
【００７１】
この技術特徴において、前記リソース共有装置２０２は、前記第二通信ネットワーク２０６に対応する複数のバックホールリンク中から、予め設定された選択ルールに従って前記目標バックホールリンクを選択することが好ましい。前記予め設定された選択ルールは、前記第二通信ネットワーク２０６のキャリアが前記第一通信ネットワーク２０４のキャリアとかかるプロトコルを締結しているかどうかと、バックホールリンクは十分な待機伝送リソースを持っているかどうかを含む。
【００７２】
この技術特徴において、リソース共有装置は様々なバックホールリンクの選択がある。例えば、リソース共有装置は、第一通信ネットワークと第二通信ネットワークのみではなく、同時にその他通信ネットワークのｗｉｆｉも接続するでき、ＡＤＳＬによって第二通信ネットワークを接続することができる。リソース共有装置は、複数のバックホールリンク中から指定バックホール方法として一つを選択する必要がある。バックホールリンク選択ルールは、前記バックホールネットワークのキャリアが当該ネットワークのキャリアとかかるプロトコルを締結しているかどうかと、当該バックホールリンクは十分な待機伝送リソースを持っているかどうかを含む。
【００７３】
この技術特徴において、また、前記第二通信ネットワーク２０６は、前記任意の端末にサービスを提供する時、前記任意の端末の前記ホーム通信キャリア情報と前記端末識別情報によって、前記任意の端末の費用を計算することにも用いられることが好ましい。
【００７４】
この技術特徴において、第二通信ネットワークは端末にサービスを提供する時、キャリアとの間のビジネス決算が便利になるように、端末のホーム通信キャリア情報と端末識別情報によって費用を計算する。
【００７５】
この技術特徴において、前記第二通信ネットワーク２０６は、前記任意の端末に対応する前記ホーム通信ネットワーク情報、端末識別情報及び前記締結業務サービス品質レベル情報等を保存して、再び前記任意の端末の前記接続請求情報を受信した時、直接に保存された前記任意の端末に対応する前記ホーム通信ネットワーク情報、端末識別情報及び前記締結業務サービス品質レベル情報によって、前記任意の端末へサービスを提供するかどうかを判断することにも用いられるが好ましい。
【００７６】
この技術特徴において、異なるキャリアがリソース共有装置によって接続する度に、第一通信ネットワークと第二通信ネットワークとの間の情報交換を回避するように、第二通信ネットワークは、リソース共有装置によって第二通信ネットワークとよく接続するその他通信ネットワークの端末のホームキャリア情報及び締結業務サービス品質レベル情報を保存する。
【００７７】
この技術特徴において、前記第二通信ネットワーク２０６は、予め設定された時間間隔によって保存された前記任意の端末に対応する前記ホーム通信ネットワーク情報、端末識別情報及び前記締結業務サービス品質レベル情報を更新することが好ましい。
【００７８】
この技術特徴において、第二通信ネットワークは、定期的に保存された端末のホーム通信ネットワーク情報、及び締結業務サービス品質レベル情報に対して更新を行うことにより、情報の正確性を保証する。
【００７９】
この技術特徴において、前記リソース共有装置は有線接続方法或いは無線接続方法によって前記第二通信ネットワークと接続することが好ましい。
【００８０】
図３は、本発明の一つの実施形態に係るリソース共有システムを示す構造図である。
【００８１】
図３に示したように、本発明の一つの実施形態に係るリソース共有システム３００は、リソース共有装置３０２と、キャリアＡネットワーク３０４（即ち、第一通信ネットワーク）及びキャリアＢネットワーク（即ち、第二通信ネットワーク）を備える。キャリアＡ３０４の端末１がリソース共有装置３０２に接続を請求した時、リソース共有装置３０２は、端末１の接続請求及びかかる情報をキャリアＢ３０６のバックホールリンクによってキャリアＢ３０６のスモールセルゲートウェイ（ｓｍａｌｌ  ｃｅｌｌ  ｇａｔｅｗａｙ）に送信し、スモールセルゲートウェイは、端末１の接続請求及びかかる情報をキャリアＢ３０６のコアネットワークに送信して、キャリアＢ３０６のコアネットワークは、端末１の接続請求とかかる情報をキャリアＡ３０４のコアネットワーク送信し、キャリアＡ３０４のコアネットワークは、端末１に対して認証を行い、接続を許可した場合は、端末１の締結業務サービス品質レベル情報をキャリアＢ３０６のコアネットワークへ通知し、ページング等の操作が便利になるように、端末１のネットワーク接続情報を登録し、接続を拒否した場合は、接続拒否情報をキャリアＢ３０６のコアネットワークに通知する。キャリアＢネットワーク３０６は、キャリアＡ３０４のコアネットワークの通知情報によって、端末１の接続を拒否し、或いは、端末１をキャリアＢネットワーク３０６のコアネットワークに登録して、キャリアＡネットワーク３０４が通知した端末１の締結業務サービス品質レベル情報によって端末１にサービスを提供する。
【００８２】
以下、図４に基づいて本発明の技術特徴について詳しく説明する。
【００８３】
図４に示したように、本発明の一つの実施形態に係るリソース共有方法の具体的な流れは、ステップ４０２、ステップ４０４ステップ４０６、ステップ４０８、ステップ４１０、ステップ４１２を備える。
ステップ４０２において、ホームキャリアＡのユーザー端末（端末１）は、セル選択／セル再選択／セル切り替え等のステップによって、自分の在圏セル（Ｓｅｒｖｉｎｇ  ｃｅｌｌ）としてリソース共有装置を選択して、且つリソース共有装置へ接続請求情報を送信する。リソース共有装置は、端末モジュール（Ｔ−ｍｏｄｕｌｅ）とスモールセル基地局モジュール（ＳＣ−ｍｏｄｕｌｅ）を含み、ＳＣ−ｍｏｄｕｌｅは、キャリアＡのユーザーへネットワーク接続を提供することをサポートし、Ｔ−ｍｏｄｕｌｅは、有線方法（ＡＤＳＬ／イーサネット）によってキャリアＢのネットワークへ接続する。
ステップ４０４において、リソース共有装置は、端末１の接続請求情報を受信して、接続請求情報の分析によって、端末１のホームキャリア情報と端末ＩＤ情報を取得する。リソース共有装置は、キャリアＢのバックホールリンクによって、端末１のホームキャリア情報、ユーザーＩＤ及び接続請求行為情報をキャリアＢネットワークのスモールセルゲートウェイに送信する。
【００８４】
具体的には、リソース共有装置は、様々なバックホールリンクの選択がある。例えば、リソース共有装置は、同時にキャリアＣのｗｉｆｉを接続することができ、ＡＤＳＬによってキャリアＢネットワークを接続することもできる。リソース共有装置は、複数のバックホールリンク中から指定バックホール方法として一つを選択する必要がある。バックホールリンク選択ルールは、前記バックホールネットワークのキャリアが当該ネットワークのキャリアとかかるプロトコルを締結しているかどうかと、当該バックホールリンクは十分な待機伝送リソースを持っているかどうかを含む。
【００８５】
具体的には、リソース共有装置とスモールセルゲートウェイとの間に不安全なパブリックＩＰネットワークによって接続しているため、ＳＣ−ｍｏｄｅｌは、端末１のホームキャリア情報、ユーザーＩＤ情報及び接続請求行為情報をＩＰｓｅｃプロトコルによってＩＰデータパケットにカプセル化し、ＩＰデータパケットの外側のＩＰアドレスは、スモールセルゲートウェイＩＰアドレスとする。ＳＣ−ｍｏｄｅｌが使用するＩＰｓｅｃプロトコルが使用している暗号化方法は、ＳＣ−ｍｏｄｅｌとスモールセルゲートウェイが約束したものである。ＩＰデータパケットはリソース共有装置からスモールセルゲートウェイに到着した後、スモールセルゲートウェイに対応するＩＰｓｅｃプロトコルを利用してＩＰデータパケットに対して解凍を行い、リソース共有装置がスモールセルゲートウェイに送信した情報を取得する。
【００８６】
具体的には、リソース共有装置のスモールセル業務が一般のｗｉｆｉ／ＡＤＳＬ／イーサネット等のデータとＩＰネットワーク伝送リソースを競争するため、スモールセル業務のＱｏＳを保証するために、リソース共有装置は、スモールセル業務のＩＰｓｅｃプロトコルパケットを伝送する場合、Ｄｉｆｆｓｅｒｖの差別化サービスプロトコルを採用し、ルーターネットワークがＲＳＶＰプロトコルをサポートする場合、高性能のＲＳＶＰリソース予約プロトコルを採用する。
【００８７】
具体的には、キャリアＢのバックホールリンクが過負荷状態の場合、ルーターは、データ通信量制御ルールを有効にして、ある業務の通信量に対して制限を行い（例えば、月極めユーザーの大通信量業務に対して制限する）、スモールセル業務のサービス品質を保証する。
【００８８】
ステップ４０６において、キャリアＢのスモールセルゲートウェイ（ｓｍａｌｌ  ｃｅｌｌ  ｇａｔｅｗａｙ）は、リソース共有装置からの端末１のホームキャリア情報、ユーザーＩＤ及び接続請求行為情報をキャリアＢのコアネットワークに送信する。普通の場合、スモールセルゲートウェイからコアネットワークへのバックホールリンクは、ネットワーク専用バックホールリンクであるため、設定されたネットワークの伝送プロトコルを利用して情報伝送を行うことができる。
【００８９】
ステップ４０８において、キャリアＢのコアネットワークは、端末１のホームキャリア情報、ユーザーＩＤ情報及び接続請求行為情報を受信した後、キャリアＢと端末１のホームキャリア、即ちキャリアＡのコアネットワークインターフェイスによって、キャリアＡへ端末１のユーザーＩＤ情報と接続請求行為情報を送信する。
【００９０】
ステップ４１０において、キャリアＡのコアネットワークは、キャリアＢからのユーザーＩＤ情報と接続請求行為情報を受信した後、端末１に対して認証を行う。認証が成功した場合は、端末１の接続を許可する。キャリアＡは、二つのキャリアコアネットワークによって、端末１の締結業務サービス品質レベル情報をキャリアＢのコアネットワークへ通知する。また、ページング等の操作が便利になるように、キャリアＡのコアネットワークは端末１の現在のネットワーク接続情報を登録する。認証に失敗した場合は、端末１の接続を拒否する。キャリアＡは二つのコアネットワークのインターフェイスによって、端末１の接続拒否情報をキャリアＢのコアネットワークに通知する。
【００９１】
ステップ４１２において、キャリアＢのコアネットワークは、キャリアＡが通知した情報によって、端末１がキャリアＢネットワークと接続することを拒否し、且つキャリアＢネットワークのスモールセルゲートウェイに通知し、リソース共有装置が後の一連の端末１の接続拒否操作を行い、或いは端末１の接続を許可し、且つキャリアＢネットワークのスモールセルゲートウェイに通知して、リソース共有装置が後の一連の端末１の接続許可操作を行い、且つキャリアＡが通知した端末１の締結業務サービス品質レベル情報によって端末１にサービスを提供する。
【００９２】
さらに、キャリアＢはスモールセルゲートウェイに課金モジュールを設置して、キャリアとの間のビジネス決算が便利になるように、端末１がキャリアＢのネットワークリソースによって通信業務を行った費用を計算する。
【００９３】
さらに、異なるキャリアがリソース共有装置によって接続する度に、キャリアコアネットワークとの間の情報交換（即ち、ステップ４０８、４１０）を回避するように、キャリアＢは、リソース共有装置によってキャリアＢネットワークとよく接続するその他キャリアユーザーのホームキャリア情報及び締結業務サービス品質レベル情報を保存する。また、キャリアＢは、定期的に保存された異なるキャリアのユーザーのホームキャリア情報、及び締結業務サービス品質レベル情報に対して更新を行うことにより、情報の正確性を保証する。
【００９４】
さらに、キャリアＢはキャリアＡとプロトコルを締結して、キャリアＡのユーザーの締結業務サービス品質レベル情報などを共有することによって、異なるキャリアがリソース共有装置によって接続する度のキャリアコアネットワークとの間の情報交換（即ち、ステップ４０８、４１０）を回避する。
【００９５】
以上の流れにおいて、キャリアＡとキャリアＢとの間にバックホールリソース共有プロトコルを締結する必要がある。プロトコルは以下のような内容を含むが、これらに限定されない。
（１）両方のデータカプセル化と解凍の一致性を保証するために、リソース共有装置は、キャリアＢのスモールセルゲートウェイとＩＰｓｅｃプロトコルの暗号化方法を協定して使用する必要がある。
（２）キャリアＡとキャリアＢは、課金方法を協定する必要がある。
（３）キャリアＡとキャリアＢは、両方コアネットワークインターフェイスで交換するユーザー接続請求関連情報及びユーザー締結業務サービス品質情報などの情報フォーマットを協定する必要がある。
【００９６】
以上、図に基づいて本発明の技術特徴について詳しく説明しており、本発明の技術特徴により、リソース共有装置によって複数の通信ネットワークのバックホールリソースを共有することができ、巨資を消費してバックホールネットワークを建設する欠点を克服でき、ネットワーク間の負担を分散し、リソース利用率を向上させつつ、リソース共有装置のサービス品質を保証する。
【００９７】
以上は本発明の好ましい実施形態でおり、本発明は、上述した実施形態により限定されるものではなく、当業者において、本発明は種々の変形又は修正が可能である。本発明においての任意の修正、同等置換、または改善等は、本発明の請求範囲内に含まれるべきである。
【図１】
2017529730.tif 000003
【図２】
2017529730.tif 000004
【図３】
2017529730.tif 000005
【図４】
2017529730.tif 000006
【国際調査報告】
2017529730.tif 000007
2017529730.tif 000008
2017529730.tif 000009
2017529730.tif 000010